(57)【要約】【課題】電波ノイズを低減する。【解決手段】各光源（ＬＥＤ）３４に対応して設けられ、発振器２４からの交流電力により対応する磁界を発生する送電コイル２２，２２と、各送電コイル２２，２２に対応して設けられ、送電コイル２２，２２により発生される磁界を受けて電力を発生する受電コイル３０，３０と、各受電コイル３０からの電力を対応する光源（ＬＥＤ）３４にそれぞれ供給する電源回路３２と、を含み、各送電コイル２２，２２は、複数の送風口に対応して隣接して配置され、隣接する送電コイル２２，２２同士の発生する磁界の向きが互いに反対方向である。【選択図】図３
2020058138.tif 000002
【特許請求の範囲】
【請求項１】
車両の車室内前部に互いに隣接して配置された複数の送風口にそれぞれ設けられた光源に対し電力を供給する非接触給電装置であって、
各光源に対応して設けられ、発振器からの交流電力により対応する磁界を発生する送電コイルと、
各送電コイルに対応して設けられ、送電コイルにより発生される磁界を受けて電力を発生する受電コイルと、
各受電コイルからの電力を対応する光源にそれぞれ供給する電源回路と、
を含み、
各送電コイルは、複数の送風口に対応して隣接して配置され、隣接する送電コイル同士の発生する磁界の向きが互いに反対方向である、
非接触給電装置。
【発明の詳細な説明】
【技術分野】
【０００１】
本発明は、隣接配置される送風口に設けられた光源へ電力を供給する非接触給電装置に関する。
【背景技術】
【０００２】
従来、送電コイルと受電コイルとの間の電磁結合を介して、非接触で電力伝送を行う非接触給電が知られている。
【０００３】
例えば、特許文献１では、電力伝送と、通信の両者を行うことが開示されている。
【先行技術文献】
【特許文献】
【０００４】
【特許文献１】特開２０１２−３８８８７号公報
【発明の概要】
【発明が解決しようとする課題】
【０００５】
ここで、送電コイルと受電コイルのペアを、隣接して配置しようとした場合、隣接する２つの送電コイルからの磁界が影響して、送電コイルから離れた特定の場所でノイズが大きくなる可能性があった。
【課題を解決するための手段】
【０００６】
本発明は、車両の車室内前部に互いに隣接して配置された複数の送風口にそれぞれ設けられた光源に対し電力を供給する非接触給電装置であって、各光源に対応して設けられ、発振器からの交流電力により対応する磁界を発生する送電コイルと、各送電コイルに対応して設けられ、送電コイルにより発生される磁界を受けて電力を発生する受電コイルと、各受電コイルからの電力を対応する光源にそれぞれ供給する電源回路と、を含み、各送電コイルは、複数の送風口に対応して隣接して配置され、隣接する送電コイル同士の発生する磁界の向きが互いに反対方向である。
【発明の効果】
【０００７】
本発明によれば、２つの送風口に設けられた光源に非接触で電力を供給でき、かつ隣接する２つの送電コイルによる電波ノイズを低減することができる。
【図面の簡単な説明】
【０００８】
【図１】実施形態に係る給電装置の送電コイルの設置した車室内前部の構成を示す模式図である。
【図２】送電コイル２２，２２の構成を示す図である。
【図３】ライト２０，２０の構成を示す図である。
【図４】送電コイル２２，２２により発生する磁界の状態を示す図である。
【発明を実施するための形態】
【０００９】
以下、本発明の実施形態について、図面に基づいて説明する。なお、本発明は、ここに記載される実施形態に限定されるものではない。
【００１０】
「全体構成」
図１には、実施形態に係る非接触給電装置の送電コイルを設置した車室内前部の構成が示されている。
【００１１】
車室内の前部には、メータ等の表示部や、エアコン等の操作パネルや、送風口（レジスタ）などが設けられる、インパネ１０が設けられている。ここで、図１は、インパネ１０における、一対の隣接配置されたレジスタ１２，１２を示している。この例では、一対のレジスタ１２，１２は、ほぼ同一形状であり、横方向に並んで配置され、それぞれ四角形の穴を基本としており、背部に配置された送風機からの空気がレジスタ１２，１２から吹き出される。
【００１２】
レジスタ１２，１２は、送風方向を制御するために、穴を仕切るように配置された可動のルーバー１４を有している。なお、図においては、横方向に伸びるルーバー１４と、縦方向に伸びるルーバー１４を模式的に示してあるが、要求に応じて適宜所望の構成が採用される。
【００１３】
また、レジスタ１２，１２の中心には、ライト２０，２０が設けられている。このライト２０，２０は、例えば光源としてＬＥＤを含み、電力によって発光する。
【００１４】
そして、レジスタ１２，１２の周辺を囲うようにして、送電コイル２２，２２が配置されている。送電コイル２２，２２は、インパネ１０の裏面側に設置されている。
【００１５】
送電コイル２２，２２は、互いに接続されており、一方の送電コイル２２が発振器２４に接続されている。
【００１６】
また、ライト２０，２０は、それぞれ受電コイルおよび電源回路を内蔵しており、送電コイル２２，２２と受電コイルが電磁結合することで、電力がライト２０，２０に供給される。
【００１７】
＜給電の構成＞
図２には、送電コイル２２，２２の構成を示してある。このように、右側の送電コイル２２の右辺（下部）に発振器２４が接続され、一方の線は、右辺を上方向、上辺を左方向、左辺を下方向に伸び、その後左側の送電コイル２２の下辺を左方向、左辺を上方向、上辺を右方向、右辺を下方向に伸び、両送電コイル２２，２２の接続部付近で終端している。また、右側の送電コイル２２の発振器２４に接続される他方の線は、右側の送電コイル２２の下辺を左方向に伸び、両送電コイル２２，２２の接続部付近で終端している。
【００１８】
従って、一対の送電コイル２２，２２は、発振器２４から供給される電流が互いに反対方向のループとして流れ、一対の送電コイル２２，２２によって生じる磁界は、反対方向を向くことになる。すなわち、発振器２４からの電流が一方の線に向けて流れ、他方の線から発振器２４に流れる場合、右側の送電コイル２２では、反時計回りに電流が流れ、送電コイル２２の前面から背面に抜ける磁界が形成され、左側の送電コイル２２では、時計回りに電流が流れ、送電コイル２２の背面から前面に抜ける磁界が形成される。
【００１９】
図３には、ライト２０，２０の構成が示されている。両ライト２０，２０は同一の構成を有する。ライト２０は、受電コイル３０、電源回路３２、ＬＥＤ３４を含んでいる。送電コイル２２に流れる電流によって生じる磁界変化により、受電コイル３０に誘導電流が流れ、これが電源回路３２に供給される。電源回路３２は、受電コイル３０からの交流電流を整流し、コンデンサなどに蓄え、これをＬＥＤ３４に供給する。これによって、送電コイル２２からの電力が非接触で、ライト２０に供給されて、ＬＥＤ３４が発光する。従って、発振器２４を駆動することで、ライト２０が光る。
【００２０】
なお、受電コイル３０，３０については、送電コイル２２，２２と電磁結合できれば、任意の大きさ、配置にすることが可能である。
【００２１】
ここで、上述のように一対の送電コイル２２，２２により発生する磁界は反対方向を向く。すなわち、磁界は、発振器２４からの高周波に応じて変化するが、その位相が一対の送電コイル２２，２２により発生するもの同士で反対（１８０度異なる）になる。従って、送電コイル２２，２２から離れた場所（遠方）においては、両者が弱めあって磁界が弱くなる。このため、磁界変化によって発生する電波ノイズのレベルを小さくすることができる。
【００２２】
また、図４に示すように、送電コイル２２，２２に近いエリアでは、両送電コイル２２，２２からの磁界の向きが同一になり、両者が強めあう。このため、送受電（給電）効率が上昇するという効果も得られる。
【符号の説明】
【００２３】
１０  インパネ、１２  レジスタ、１４  ルーバー、２０  ライト、２２  送電コイル、２４  発振器、３０  受電コイル、３２  電源回路、３４  ＬＥＤ。
【図１】
2020058138.tif 000003
【図２】
2020058138.tif 000004
【図３】
2020058138.tif 000005
【図４】
2020058138.tif 000006